(57)【要約】【課題】籾摺選別装置の風選部等騒音の伝播する閉空間における当該騒音の低減をはかる。【解決手段】騒音源に通じる閉空間内に、所定の共鳴周波数に設定され孔部３４，３４…を備えた板材（目抜き鉄板３３）の当該孔部近傍の空気を振動させることより騒音を低減する吸音構造部材３０を設ける。また、この吸音構造部材３０は、機体を構成する側面板３１に所定間隔の空気層３２を隔てて設けたり、あるいは上記空気層３２部分に吸音材３５を充填することにより、吸音効果を向上させる。【選択図】    図５
2004255266.tif 000002
【特許請求の範囲】
【請求項１】
機体内に騒音源を有する農業機械において、該機体内に所定の共鳴周波数に設定され孔部を備えた板材の当該孔部近傍の空気を振動させることより音圧エネルギを減衰して騒音を低減する吸音構造部材を設けてなる農業機械における騒音低減装置。
【請求項２】
吸音構造部材は、機体を構成する側面板等の壁部に、所定間隔の空気層を隔てて所定の共鳴周波数に設定された孔部を形成した板材を設けることによって構成してなる請求項１に記載の農業機械における騒音低減装置。
【請求項３】
側面板等の壁部と板材との上記空気層部分に吸音材を充填してなる請求項２に記載の農業機械における騒音低減装置。
【発明の詳細な説明】
【０００１】
【発明の属する技術分野】
この発明は、騒音低減装置に関し、籾摺選別機等の農業機械に利用するものである。
【０００２】
【従来の技術】
農業機械，例えば籾摺選別機の騒音を減少させる従来技術として特許文献１には、操作パネル，籾殻等の排塵部を除いて、発泡スチロール等からなるカバーで機体を被覆して騒音を低減させようとするものである。
【０００３】
しかしながら、籾摺選別機には摺落米を風選する風選部が設けられているところ、風選部の吸引部及び排塵部に対する消音の配慮がなされてなく、消音効果に制限があるとして、特許文献２に記載の構成がある。即ち、籾摺選別機の選別風路は左右壁部や上下の選別棚部にて囲われて閉空間を呈し脱ぷロールの摺り出し音がこの閉空間に通じて音が篭り不快感を与えるが、このような閉空間における騒音低減に着目して、特許文献２の構成は、所定空間を隔てた扁平なケースに前後両側面を連続した孔部で構成される独立の空気マスと前後両側面に形成した孔部と中間部がケース内全域と連通状態の空気バネとによる２種類の振動系からなる通気型減音ケースを籾摺選別機に設ける形態としたものである。
【０００４】
【特許文献１】
特開昭６１−２６３６５３号公報
【特許文献２】
特開平０２−５６９号公報
【０００５】
【発明が解決しようとする課題】
しかしながら、上記後者の構成によると、風選部内に発生した騒音は通気型減音ケース２８の空気マス部及び広いケース内空気層の空気バネ部を通過することにより、透過波が互いに逆相となつて干渉し、打ち消し合うことによって騒音を低減させるものであるから、これら通気性減音ケースの構成を要して複雑化するものとなる。
【０００６】
【課題を解決するための手段】
この発明は、このような問題点を解決するために、次の技術的手段を講じた。即ち、請求項１に記載の発明は、機体内に騒音源を有する農業機械において、該機体内に所定の共鳴周波数に設定され孔部を備えた板材の当該孔部近傍の空気を振動させることより音圧エネルギを減衰して騒音を低減する吸音構造部材を設けてなる農業機械における騒音低減装置の構成とする。
【０００７】
農業機械の運転中、機体内において伝播する騒音源からの騒音は、所定の共鳴周波数に設定された吸音構造部材の孔部近傍の空気が振動することにより主として当該周波数成分の音エネルギが共鳴して減衰する。
請求項２に記載の発明は、吸音構造部材は、機体を構成する側面板等の壁部に、所定間隔の空気層を隔てて所定の共鳴周波数に設定された孔部を形成した板材を設けることによって構成される。
【０００８】
孔部近傍の空気振動に加えて空気層部の空気振動に伝播することより騒音の音エネルギの共鳴吸収効果を増大する。
更に、請求項３に記載の発明は、側面板と板材との上記空気層部分に吸音材を充填してなる請求項２に記載の農業機械における騒音低減装置の構成とする。
【０００９】
空気層部分の吸音材の充填により、騒音の共鳴吸収効果に加え、共鳴周波数成分に関らずその音エネルギを吸収する。
【００１０】
【発明の効果】
所定の共鳴周波数に設定した吸音構造部材の孔部近傍の空気を振動させて主として当該周波数成分の音エネルギを共鳴して減衰するものであるから、吸音構造部材は板材に孔部を形成する簡単な構成によって騒音低減を可能とする。また、機体の側面板から空気層を隔てて吸音構造部材の板材を設ける場合はこの空気層にも空気振動が伝播して吸音効果を増大する。更にこの空気層部分に吸音材を充填すると騒音の共鳴周波数成分に関らずその音エネルギを吸収でき吸音効果を増すことができる。
【００１１】
【発明の実施の形態】
以下、図面に示すこの発明の実施例について説明する。まず図１〜図４に基づき、籾摺選別機の全体構成について説明する。籾摺選別機は、籾摺をする籾摺部１，籾摺部１からの摺落米を風選する摺落米風選部２，摺落米風選部２での風選後の混合米を籾・玄米に分離選別する揺動選別部３，混合米揚穀機４及び玄米揚穀機５等により構成されている。
【００１２】
籾摺部１は、上部の籾ホッパ６，籾摺ロール７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。
【００１３】
次に、揺動選別部３について説明する。多段の揺動選別板１５，１５…には、板面に選別用の凹凸あるいは選別凸条が形成されていて、縦方向の一側を高い供給側、他側を低い排出側とし、横方向の一方側を高い揺上側、反対側を低い揺下側として、揺動選別板１５の縦横２方向ともに傾斜した構成とし、揺動選別板１５，１５…は揺動アーム，揺動リンクから構成されている揺動装置で、横方向斜め上下に往復揺動される構成である。
【００１４】
この揺動選別板１５，１５…における供給側には供給口が構成されていて、分配供給樋１６及び分配ケース１７を経由した混合米が多段の揺動選別板１５，１５…各段に供給される構成である。揺動選別板１５，１５…に供給された混合米は、粒形の大小，比重の大小，摩擦係数の大小等の関係で選別され、選別穀粒は揺動選別板１５の排出側に設けられている玄米仕切板１８及び籾仕切板１９で仕切られて取り出される。
【００１５】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１６】
次に、籾摺選別機の作用について説明する。籾摺作業をする場合には、籾摺部１の籾ホッパ６に籾を供給し、籾摺選別機の回転各部を駆動する。次いで、籾ホッパ６から籾摺ロール７，７に籾を供給して籾摺し、摺落米を下方の摺落米風選路１０で風選する。軽い籾殻を吸引フアン１３，排塵筒１４を経て機外に排出し、比較的軽い粃粒は粃受樋１１に落下選別され、重い玄米及び籾の混合米は、摺落米受樋１２に落下選別される。
【００１７】
しかして、選別された混合米は、混合米揚穀機４，混合米ホッパ２４，分配供給樋１６及び分配ケース１７を経て、揺動選別板１５，１５，…に供給される。混合米は、揺動選別板１５が横方向斜上下に往復揺動されると、粒形の大小、比重の大小、摩擦係数の大小等の関係で、小形で比重の重い玄米は揺上側に偏流分布し、また、玄米に比較して大形で比重の軽い籾は揺下側に偏流分布し、また、その中間部には分離されない混合米が分布しつつ選別される。
【００１８】
揺動選別板１５，１５，…の排出側から流下した穀粒は、玄米仕切板１８及び籾仕切板１９で仕切られる。玄米仕切板１８で仕切られた玄米は、玄米取出樋２０，玄米流路２１及び玄米揚穀機５を経て機外に取り出され、また、玄米仕切板１８及び籾仕切板１９で仕切られた混合米は、混合米取出樋２２，混合米流路２３，混合米揚穀機４，混合米ホッパ２４，分配供給樋１６及び分配ケース１７を経て揺動選別板１５に供給されて再選別され、また、籾仕切板１９で仕切られた籾は、籾取出樋２５，籾流路２６及び籾揚穀機２７を経て籾摺部１に還元されて再度の籾摺がされる。
【００１９】
次に、図５及び図６に基づき籾摺選別機の騒音低減の構成について説明する。騒音低減のための吸音構造部材３０は、例えば摺落米風選部２の摺落米風選路１０を形成する側面板３１に、所定間隔の空気層３２を隔てて目抜き鉄板３３を設けることによって構成してなる。そして吸音原理について、この目抜き鉄板３３には所定孔径ｄ及び所定ピッチＤの孔部３４，３４…を複数に穿設し、上記空気層３２等を所定に設定することで共鳴周波数ｆ（Ｈｚ）を得て、所定の共鳴周波数ｆとなし、該共鳴周波数ｆが孔部３４近傍の空気を振動させ摺落風選路１０内における騒音等の音圧エネルギを吸収する原理を用いるものである。
【００２０】
ここで、音速ｃ≒３４５（ｍ／ｓ）、目抜き鉄板３３に一定のパターンで複数に設ける孔部３４，３４…の孔ピッチＤ（ｍ）、孔径ｄ（ｍ）とすると、目抜き鉄板３３の開孔率ｐ（ｄ）は、
ｐ（ｄ）＝πｄ２／４・Ｄ２……（式１）
で表される。つまり、孔径ｄの増加に伴って開孔率ｐ（ｄ）も増加するものとなる（図７）。
【００２１】
また、目抜き鉄板３３の板厚ｔ（ｍ）、前記空気層３２厚ｌとすると、共鳴周波数ｆは、
ｆ＝（ｃ／２π）（ｐ（ｄ）／（（ｔ＋０．８ｄ）×ｌ））１／２……（式２）
で表される。
【００２２】
従って、板厚ｔ、空気層厚ｌを知って、ｐ（ｄ）を決めると共鳴周波数ｆが設定できる。
一方、前記摺落米風選部２の摺落米風選路１０には、脱ぷロールの擦れ合う際やその他の騒音源の音が篭っているが、周波数分析装置にて予めこの風選路１０の騒音の周波数特性を分析しておくことにより、減衰すべき音エネルギの周波数Ｆを選択し、当該周波数Ｆと共鳴周波数ｆとが略一致すべく、例えば上記ｐ（ｄ）値、ひいては孔径ｄや孔ピッチＤを決定するものである。
【００２３】
なお、図８は孔径ｄと共鳴周波数ｆ（ｄ）との関係一例を示すもので、孔径の選択によって共鳴周波数ｆ（ｄ）を決定できる。
上記のように設定した目抜き鉄板３３の孔部３４，３４…近傍の空気が振動され主として当該周波数成分の音エネルギを共鳴吸収して減少させるものとなる。
【００２４】
図９，１０に実施一例を示す。吸音構造部材３０は、摺落米風選部２の摺落米風選路１０を形成する左右の側面板３１に、それぞれ所定間隔の空気層３２を隔てて目抜き鉄板３３を設ける。すなわち、上記吸音構造部材３０を構成する目抜き鉄板３３は、上下多段の選別棚１０ａ及び１０ｂで形成される前記摺落米風選路１０の側面板３１に対して間隔保持金具３７を介することより所定間隔の空気層３２を隔てて設ける。また、目抜き鉄板３３の下縁３３ａを上記選別棚１０ｂ面との間に間隔をおいて側面板３１に取り付けることにより、棚１０ｂ面の穀粒等の流下を阻害しない。さらに、側面板３１から延出状態に設ける受け体３６で目抜き鉄板３３の下縁３３ａを支持することにより、孔部３４，３４…の切断によって形成される尖端凸状を覆うことができ、流下する藁屑や枝梗等の流れを阻害しない（図１０）。後記吸音材３５の保持にも有効である。
【００２５】
図１１は共鳴周波数ｆ＝８００Ｈｚの例であって、前後所定周波数幅において騒音レベルの減少を呈する状態が認められる。これは、空気振動によって選択された共鳴周波数ｆ値における騒音レベルの低下が顕著であるほか、その前後周辺においても徐々に効果を減少しつつも騒音レベルの低下に寄与するためである（図１２）。
【００２６】
図１３は前記空気層３２に不織布、グラスウール等の吸音材３５を充填した構成を示すものである。孔部３４からの騒音は主として上記共鳴周波数ｆ近傍の音エネルギの減少を司るものとなるが、吸音材３５は周波数の高低を問わず、吸収して音エネルギを減衰させる効果がある。
【００２７】
上例吸音構造の作用について説明する。
籾摺選別機の摺落米風選路１０には、籾摺ロール７，７の摺り出し音や吸引ファン１３の吸引風音、あるいは摺り出し米の衝突音等が伝播している。そこで、この風選路１０の発生音の周波数分析を行い、減衰すべき音エネルギの周波数Ｆを選択し、これを共鳴周波数ｆとする。次いで、当該周波数ｆ値と、予め設定した板厚ｔ、空気層厚ｌの各値より式２の関係に基づき、開孔率ｐ（ｄ）、ひいては孔径ｄ及びピッチＤを求め、目抜き鉄板３３の形状等の決定する。この目抜き鉄板３３を風選路１０の上・下棚１０ａ，１０ｂ間における側面板３１部に装着する。なお、吸音材３５、例えば不織布３５を空気層３２に充填しておく。
【００２８】
上記のような準備を行い作業を開始すると、目抜き鉄板３３が機体の運転振動に伴って振動すると、共鳴周波数ｆ域のおいて孔部３４，３４…近傍の空気を振動させることとなり、従って、当該共鳴周波数ｆ域の騒音はこの孔部３４，３４…の空気振動に作用することで音エネルギが減衰されて騒音低減する。
【００２９】
なお、不織布３５の充填により、内に無数の微細孔部が形成されて、この不織布３５に進入した騒音は周波数の大小を問わず、幾重にも該微細孔部で反射して減衰し、共鳴周波数ｆ以外の周波数成分についても減衰効果がある。
なお、図１１のように実施した結果、総合的な騒音判定では、目抜き鉄板３３等の吸音構造部材３０を構成するか否かにより、８５．６デシベル（ｄＢ（Ａ））と８６．５デシベル（ｄＢ（Ａ））となり約１デシベルの吸音効果が認められた。
【００３０】
上記の実施例では、摺落米風選部１０の側面板３１に目抜き鉄板３３の吸音構造部材３０を構成したが、選別棚１０ａの裏面に構成してもよく、新たに支持構成部材を構成してこれに装着してもよい。
図１４は吸音構造及び制振構造によって騒音を低減する例を示すものである。即ち、前記籾摺ロール７，７を収容する籾摺室８のケース部４０は摺落米風選箱９との間に防振部材４１を介して防振支持し、次いで、該ケース部４０の内面には制振材４２を貼付して設け、籾摺時に発生する騒音を低減しようとするものである。図１１におけると同様の所定周波数ごとの騒音レベル検出を行うと、吸音構造を設けない仕様Ａに対して防振部材４１を支持構成する仕様Ｂ、更に制振材４２の貼付け構成を施す仕様Ｃの順に振動低減効果が認められた（図１５）。
【００３１】
また、上記の実施例では吸音構造部材３０を籾摺選別装置に応用するものについて説明したが、各部騒音が伝播する閉空間を備える農業機械において効果がある。
【図面の簡単な説明】
【図１】全体の切断側面図
【図２】一部切断した背面図
【図３】全体側面図
【図４】全体平面図
【図５】吸音構成部材を施した切断側面図
【図６】（イ）は要部の断面図、（ロ）はその側面図
【図７】孔径と孔あき板の開孔率との関係一例を示すグラフ
【図８】孔径と共鳴周波数との関係一例を示すグラフ
【図９】選別風路の正断面図
【図１０】要部の拡大断面図
【図１１】吸音構成部材の有無による騒音レベルの差を示すグラフ
【図１２】共鳴周波数−吸収効率の概念を示すグラフ
【図１３】別実施例を示す要部の断面図
【図１４】（イ）は異なる吸音構造の例を示す側断面図、（ロ）はその平断面図
【図１５】吸音効果を示すグラフ
【符号の説明】
１…籾摺部、２…摺落米風選部、３…揺動選別部、４…混合米揚穀機、５…玄米揚穀機、６…籾ホッパ、７…籾摺ロール、８…籾摺室、９…摺落米風選箱、１０…摺落米風選路、１１…粃受樋、１２…摺落米受樋、１３…吸引フアン、１４…排塵筒、１５…揺動選別板、１６…分配供給樋、１７…分配ケース、１８…玄米仕切板、１９…籾仕切板、２０…玄米取出樋、２１…玄米流路、２２…混合米取出樋、２３…混合米流路、２４…混合米ホッパ、２５…籾取出樋、２６…籾流路、２７…籾揚穀機、３０…吸音構造部材、３１…側面板、３２…空気層、３３…目抜き鉄板、３４，３４…孔部、３５…吸音材
【図１】
2004255266.tif 000003
【図２】
2004255266.tif 000004
【図３】
2004255266.tif 000005
【図４】
2004255266.tif 000006
【図５】
2004255266.tif 000007
【図６】
2004255266.tif 000008
【図７】
2004255266.tif 000009
【図８】
2004255266.tif 000010
【図９】
2004255266.tif 000011
【図１０】
2004255266.tif 000012
【図１１】
2004255266.tif 000013
【図１２】
2004255266.tif 000014
【図１３】
2004255266.tif 000015
【図１４】
2004255266.tif 000016
【図１５】
2004255266.tif 000017